(57)【要約】      （修正有）【課題】美観を損なうことなく、被取付部の取付け高さを変更できうるようにした家具を提供する。【解決手段】背側取付部１３を有する背板５を有し、背板５の前面に対し、取外し可能に設けた被取付部１５を有し、被取付部１５には被取付側取付部が設けられ、取付具２５により、背側取付部１３と被取付側取付部を連結することにより、被取付部１５を背板５に取付けることができるとともに、被取付部１５の背板５に対する上下方向の取付位置を変えることができるようにし、被取付部１５を背板５に取付けた際に、背側取付部１３と被取付側取付部と取付具２５を、前方より視認できないようにした。【選択図】図３
2018079017.tif 000002
【特許請求の範囲】
【請求項１】
背側取付部を有する背板を有し、
該背板の前面に対し、取外し可能に設けた被取付部を有し、
該被取付部には被取付側取付部が設けられ、
取付具により、前記背側取付部と前記被取付側取付部を連結することにより、前記被取付部を前記背板に取付けることができるとともに、前記被取付部の前記背板に対する上下方向の取付位置を変えることができるようにし、
前記被取付部を前記背板に取付けた際に、前記背側取付部と前記被取付側取付部と前記取付具を、前方より視認できないようにしたことを特徴とする家具。
【請求項２】
前記背側取付部は、背側上取付部と、背側下取付部とを有し、
この背側上取付部と、背側下取付部の少なくとも一方を長孔状に形成したことを特徴とする請求項１記載の家具。
【請求項３】
前記家具は、仏壇であることを特徴とする請求項１又は２記載の家具。
【発明の詳細な説明】
【技術分野】
【０００１】
本発明は、家具に関する。
【背景技術】
【０００２】
従来、仏壇内に設けられる棚の高さは固定されているために、仏壇の棚の高さに合うご本尊等の仏具を選ぶ必要がある。そのため、買換え等により仏壇を変更した場合に、以前に使用していた仏具が使用できなくなるという問題がある。
【０００３】
また、宗派等により収納物のレイアウトが異なるために、様々な宗派のレイアウトに対応できるように、棚の高さを変更したいという要望がある。
【０００４】
そのため、棚板の高さを変更できるように、背板の内面に横方向に延在する溝を、上下方向に複数形成し、この溝に対し棚板を係合できるようにすることで、棚板の高さを上下方向に変更できるようにした仏壇が提案されている（特許文献１参照）。
【先行技術文献】
【特許文献】
【０００５】
【特許文献１】実用新案登録第３２０２７７６号公報
【発明の概要】
【発明が解決しようとする課題】
【０００６】
前記の仏壇では、背板の内面に溝が上下方向において、複数形成されているため、棚板が取付けられていない溝が前方より視認され、見栄えが悪くなるという問題がある。
【０００７】
そこで、本発明は、前記問題点を解決した家具を提供することを目的とするものである。
【課題を解決するための手段】
【０００８】
前記の課題を解決するために、請求項１記載の発明は、背側取付部を有する背板を有し、
該背板の前面に対し、取外し可能に設けた被取付部を有し、
該被取付部には被取付側取付部が設けられ、
取付具により、前記背側取付部と前記被取付側取付部を連結することにより、前記被取付部を前記背板に取付けることができるとともに、前記被取付部の前記背板に対する上下方向の取付位置を変えることができるようにし、
前記被取付部を前記背板に取付けた際に、前記背側取付部と前記被取付側取付部と前記取付具を、前方より視認できないようにしたことを特徴とするものである。
【０００９】
請求項２記載の発明は、請求項１記載の発明において、前記背側取付部は、背側上取付部と、背側下取付部とを有し、
この背側上取付部と、背側下取付部の少なくとも一方を長孔状に形成したことを特徴とするものである。
【００１０】
請求項３記載の発明は、請求項１又は２記載の発明において、前記家具は、仏壇であることを特徴とするものである。
【発明の効果】
【００１１】
本発明によれば、取付具により、背側取付部と被取付側取付部を連結することにより、例えば、棚板を取付けた被取付部を背板の前側に取付けることができるとともに、被取付部の前記背板に対する上下方向の取付位置を変えることができるようにし、被取付部を背板に取付けた際に、背側取付部と被取付側取付部と取付具を、前方より視認できないようにしたことにより、仏具等の大きさやレイアウトに応じて被取付部の上下方向の取付位置を変更することができるとともに、その取付具等が前方から視認されず家具の美観を損なうことがない。
【図面の簡単な説明】
【００１２】
【図１】本発明の実施例１を示す仏壇で扉を閉じた状態の斜視図。
【図２】図１の正面図。
【図３】図１の右側部分断面図。
【図４】本発明の実施例に用いる背板の正面図。
【図５】本発明の実施例に用いる被取付部と棚板の斜視図。
【図６】図５の右側面図。
【図７】本発明の実施例１に用いる被取付部の正面図。
【図８】棚板を備えた被取付部を取外した状態を後ろから見た斜視図で、左側の側板と開閉扉を外した状態の図。
【図９】図８の状態から被取付部を最も低い位置に取付けた状態の前方から見た斜視図。
【図１０】図９の状態から被取付部の高さを１段階高くした状態の斜視図。
【図１１】図１０の状態から被取付部の高さを１段階高くした状態の斜視図。
【発明を実施するための形態】
【００１３】
本発明の家具は、背板を有する家具であれば、任意の家具に適用することができ、例えば、仏壇、ドレッサー、キュリオケースに適用することができる。以下において、本発明の家具を、仏壇に適用した実施例を図に基づいて説明する。
【００１４】
［実施例１］
図１は本実施例１の仏壇１の斜視図、図２はその正面図、図３はその右側部分断面図である。
【００１５】
仏壇１は、天板２と底板３を有し、天板２と底板３間の両側部には左右の側板４，４が設けられ、天板２と底板３間の後部には背板５が設けられている。天板２、底板３、左右の側板４，４、背板５により箱状に形成され、その前面には開口部７が設けられ、内部には収納空間８が形成されている。
【００１６】
開口部７は、左右一対の開閉扉１０，１０により開閉できるようになっている。
【００１７】
背板５は、図４に示すように、その上部の両側部に背側上取付部１１，１１が設けられ、その下部の両側部には背側下取付部１２，１２が設けられ、背側上取付部１１と背側下取付部１２で背側取付部１３が構成されている。
【００１８】
左右の背側上取付部１１は、夫々、上下方向に適宜間隔を有して形成された３つの貫通孔１１ａ，１１ｂ，１１ｃで構成されている。なお、本実施例では背側上取付部１１を、３つの貫通穴で構成したが、背側上取付部１１は複数の貫通穴で構成されていれば、その数は任意に設定することができる。
【００１９】
左右の背側下取付部１２，１２は、夫々、上下方向が長手方向となる１つの長孔状の貫通穴１２ａで構成されている。
【００２０】
背板５の前面（内面）には、図３に示すように、板状に形成された被取付部１５を取り外し可能に取り付けることができるようになっている。被取付部１５の前側には、図５，６に示すように、２枚の棚板１６，１７が固設されている。
【００２１】
被取付部１５は、図７に示すように、上下方向が長い略長方形状に形成され、その両側部には、夫々、表裏方向に貫通する凹部１５ａ，１５ｂが上下に２カ所形成されている。被取付部１５における左右の凹部１５ａと１５ａの間、及び、凹部１５ｂと１５ｂの間の前面には、嵌合溝１５ｃ，１５ｃが形成されている。
【００２２】
夫々の棚板１６，１７は、被取付部１５の横幅より大きく、背板５の横幅より短く形成されている。夫々の棚板１６，１７は、その後部の中央部にコ字状の凹部１６ａ，１７ａが形成され、この凹部１６ａ（１７ａ）の両側部には、被取付部１５の凹部１５ａ，１５ａ（１５ｂ，１５ｂ）に嵌合する係合部１６ｂ（１７ｂ）が形成されている。
【００２３】
棚板１６（１７）の凹部１６ａ（１７ａ）に被取付部１５の嵌合溝１５ｃを嵌合させるとともに、棚板１６（１７）の係合部１６ｂ（１７ｂ）が被取付部１５の凹部１５ａ（１５ｂ）に嵌合するようになっている。そして、この相互に嵌合した状態においてボルト２０を、嵌合溝１５ｃ部に形成した挿通穴１５ｄに挿通し、棚板１６，１７の凹部１６ａ，１７ａに形成した取付穴に螺合することにより、棚板１６，１７が被取付部１５の所定の位置に固設される。
【００２４】
なお、本実施例においては、棚板の数を２枚としたが、一枚でも３枚以上でも任意の数に設定することができる。
【００２５】
被取付部１５の裏面には、図６，７に示すように、裏面のみに開口する被取付側取付部２１が形成されている。被取付側取付部２１は、被取付部１５の上部の両側部に設けた被取付側上取付部２２と下部の両側部に設けた被取付側下取付部２３で構成されている。
【００２６】
被取付側上取付部２２と被取付側下取付部２３には、取付具であるボルト２５を螺合することができるナットが後面を開口して埋設されている。被取付側上取付部２２と被取付側下取付部２３は、被取付部１５の裏面のみに開口し、表側からは視認できないようになっている。
【００２７】
上記の構成により、図３に示すように、背板５の背側取付部１３に、その後方からボルト２５を挿通し、被取付部１５の被取付側取付部２１のナットに螺合することにより、背板５の前面に被取付部１５を取り外し可能に取り付けることができるようになっている。
【００２８】
また、下側に位置するボルト２５を緩め、被取付部１５を上下方向に移動させ、上側のボルト２５を、背板５における背側上取付部１１の貫通孔１１ａ，１１ｂ，１１ｃのうち１つを選択して挿通することにより、図９〜１１に示すように、被取付部１５の高さ、すなわち、棚板１６，１７の高さを３段階に変化させることができ、仏具の高さや、仏具のレイアウトに応じて、棚１６，１７の高さを変更することができるようになっている。
【００２９】
また、背板５の最下段の貫通穴１１ｃを用いて被取付部１５を背板５に取付けた場合には、図３，図９に示すように、被取付部１５の上端が貫通穴１１ａより上方に位置し、また、背板５の最上段の貫通穴１１ａを用いて被取付部１５を背板５に取付けた場合には、被取付部１５の下端が背側下取付部１２より下方に位置するように、被取付部１５が形成されている。これにより、背板５に対して被取付部１５をどの高さに取付けた状態においても、ボルト２５、背側取付部１３、被取付側取付部２１は前方から視認されず、仏壇１の美観を損なうことがない。
【００３０】
また、背側下取付部１２を上下方向に長い長孔状の貫通穴１２ａで構成したことにより、下側のボルト２５は緩め、上側のボルト２５を挿通する背板５の貫通孔１１ａ，１１ｂ，１１ｃの挿通位置を変えることで、被取付部１５の高さを変更することができ、容易に、棚板１６，１７の取付高さを変えることができる。
【００３１】
［実施例２］
上記実施例１においては、被取付部１５に棚板１６，１７を固設したが、棚板１６，１７以外にも任意の部材を被取付部１５に固設してもよいし、被取付部１５を後板として、箱状に形成した棚の一部として構成してもよい。
【００３２】
また、被取付部に棚板等を固設せず、被取付部自体の正面形状を、長方形状以外の楕円形状、門型など任意の形状としたり、その中央部を楕円形状に取り除いたり、その表面に、鏡、金紙、ドンスなどを取付けたり、その表面に様々な意匠を施す等してもよい。
【００３３】
その他の構造は、前記実施例１と同様であるため、その説明を省略する。
【００３４】
本実施例２においても、前記実施例１と同様の作用、効果を発揮することが出来る。
【００３５】
また、本実施例２においても上記実施例１と同様に、ご本尊の大きさ等に応じて、被取付部の上下方向の位置を変更できる。
【００３６】
［その他の実施例］
なお、上記実施例１，２においては、背側上取付部１１を３つの貫通孔１１ａ，１１ｂ，１１ｃで構成し、背側下取付部１２を１つの長孔状の貫通穴１２ａで構成したが、背側上取付部１１を１つの長孔状の貫通穴１２ａで構成し、背側下取付部１２を３つの貫通穴１１ａ，１１ｂ，１１ｃで構成してもよい。
【００３７】
また、背側上取付部１１と背側下取付部１２を、何れも、３つの貫通孔１１ａ，１１ｂ，１１ｃで構成してもよいし、何れも上下方向に長い長孔状の貫通穴１２ａで構成してもよい。背側上取付部１１と背側下取付部１２を、何れも長孔状の貫通穴１２ａで構成した場合には、ボルト２５を取外すことなく、被取付部１５の上下方向の位置を、無段階で（任意の位置に）変更することができる。
【００３８】
上記実施例１，２においては、背側上取付部１１と背側下取付部１２を、夫々、２個設けたが、夫々の数は、１個でも３個以上の複数でもよく任意に設定することができるとともに、背側上取付部１１の個数と背側下取付部１２の個数を異なる個数としてもよい。また、背側下取付部１２を設けなくてもよい。
【００３９】
更に、背板５における背側上取付部１１と背側下取付部１２を１つの貫通穴で構成し、被取付部１５における被取付側上取付部２２と被取付側下取付部２３を、夫々、上下方向に設けた３つの取付穴で構成し、夫々の取付穴にナットを埋設するようにしてもよい。
【００４０】
また、前記実施例１，２では、仏壇１を前方のみ開口する箱状に形成したが、その形状は任意に形成することができ、例えば、開閉扉、側板、上板を設けず、底板の前側両端に柱を立設し、この柱の上端と背板の上端を桟で架設して構成し、仏具等が外部に露出するようにしてもよい。
【符号の説明】
【００４１】
１  仏壇
５  背板
１１  背側上取付部
１２  背側下取付部
１３  背側取付部
１５  被取付部
１６，１７  棚板
２１  被取付側取付部
２５  取付具
【図１】
2018079017.tif 000003
【図２】
2018079017.tif 000004
【図３】
2018079017.tif 000005
【図４】
2018079017.tif 000006
【図５】
2018079017.tif 000007
【図６】
2018079017.tif 000008
【図７】
2018079017.tif 000009
【図８】
2018079017.tif 000010
【図９】
2018079017.tif 000011
【図１０】
2018079017.tif 000012
【図１１】
2018079017.tif 000013